(57)【要約】【課題】警報の発生状況を時系列かつグラフィカルに簡易的に画面表示することができる施設管理装置及び施設管理方法を提供する。【解決手段】施設管理装置の監視画面１０上に、表示更新手段によって常時表示領域１１を画面表示させる。左端を現在時刻として、１時間１メモリ、２４時間分の帯状の常時表示領域１１は、表示更新手段が時間経過と共に表示を更新する。警報表示手段は、施設設備で発生した警報情報を取得し、警報表示手段は、警報情報の発生時刻に対応するメモリの表示色を変更する。また、警報表示手段は、オペレータにより警報確認操作が行われたことを受けて、確認済みのメモリの表示色を元に戻す。【選択図】図４
2011003006.tif 000002
【特許請求の範囲】
【請求項１】
施設内の設備の運転を監視するための施設管理装置であって、
表示画面内に、時刻を表す数字を帯状に所定期間分表示する常時表示領域を表示させ、かつ、当該常時表示領域先頭の時刻を表す数字が現在時刻になるよう表示更新する表示更新手段と、
前記設備で発生した警報情報を取得する警報情報取得手段と、
前記警報情報取得手段が取得した警報情報を、発生時刻に対応する前記常時表示領域の数字に関連付けて表示させる警報表示手段とを備えることを特徴とする施設管理装置。
【請求項２】
請求項１に記載の施設管理装置であって、
表示更新手段は、常時表示領域として、時刻を表す数字を含む各所定領域を帯状に所定期間分表示させ、
警報表示手段は、前記常時表示領域のうち、少なくとも１件以上の警報情報が発生した時刻を表す数字を含む所定領域の表示色を変更することを特徴とする施設管理装置。
【請求項３】
施設内の設備の運転を監視するための施設管理装置の施設管理方法であって、
前記施設管理装置の表示画面内に、時刻を表す数字を帯状に所定期間分表示する常時表示領域を表示させる表示ステップと、
前記設備で発生した警報情報を取得する警報情報取得ステップと、
前記警報情報取得ステップで取得した警報情報を、発生時刻に対応する前記常時表示領域の数字に関連付けて表示させる警報表示ステップと、
前記常時表示領域先頭の時刻を表す数字が現在時刻になるよう表示更新する表示更新ステップとを備えることを特徴とする施設管理方法。
【請求項４】
請求項３に記載の施設管理方法であって、
表示ステップでは、常時表示領域として、時刻を表す数字を含む各所定領域を帯状に所定期間分表示させ、
警報表示ステップでは、前記常時表示領域のうち、少なくとも１件以上の警報情報が発生した時刻を表す数字を含む所定領域の表示色を変更することを特徴とする施設管理方法。
【発明の詳細な説明】
【技術分野】
【０００１】
この発明は、施設管理装置において、施設設備の警報発生状況を示す監視画面表示に関するものである。
【背景技術】
【０００２】
従来、テナントビル、病院、商業施設等の施設設備を監視及び管理する施設管理装置は、設備で警報が発生すると、発生した警報を、発生時刻、警報内容等からなる履歴情報として記録する。また、施設管理装置は、監視画面の予め決められている常時表示領域に、直近に発生した警報を予め決められた件数分、「発生時刻、警報内容」等の文字ベースで表示するようにしている。そして、常時表示領域に表示された警報は、オペレータが確認操作をすると画面から消去されて、オペレータが確認していない最新の警報が履歴情報から取得されて新たに画面表示される（例えば、特許文献１，２参照）。
【先行技術文献】
【特許文献】
【０００３】
【特許文献１】特開２０００−２０８６１号公報
【特許文献２】特開２００２−１８９５１５号公報
【発明の概要】
【発明が解決しようとする課題】
【０００４】
従来の施設管理装置は以上のように構成されているので、常時表示領域に表示された警報の発生時刻と現在時刻との差異を一目で確認しづらく、確認済みの警報なのか前回確認時以降に新たに発生した警報なのか、直感的に分かりづらいという課題があった。
【０００５】
この発明は、上記のような課題を解決するためになされたもので、警報の発生状況を時系列かつグラフィカルに簡易的に画面表示することができる施設管理装置及び施設管理方法を提供することを目的とする。
【課題を解決するための手段】
【０００６】
この発明に係る施設管理装置は、表示画面内に、時刻を表す数字を帯状に所定期間分表示する常時表示領域を表示させ、かつ、当該常時表示領域先頭の時刻を表す数字が現在時刻になるよう表示更新する表示更新手段と、設備で発生した警報情報を取得する警報情報取得手段と、警報情報取得手段が取得した警報情報を、発生時刻に対応する常時表示領域の数字に関連付けて表示させる警報表示手段とを備えるようにしたものである。
【０００７】
この発明に係る施設管理装置は、表示更新手段は、常時表示領域として、時刻を表す数字を含む各所定領域を帯状に所定期間分表示させ、警報表示手段は、常時表示領域のうち、少なくとも１件以上の警報情報が発生した時刻を表す数字を含む所定領域の表示色を変更するようにしたものである。
【０００８】
この発明に係る施設管理方法は、施設管理装置の表示画面内に、時刻を表す数字を帯状に所定期間分表示する常時表示領域を表示させる表示ステップと、設備で発生した警報情報を取得する警報情報取得ステップと、警報情報取得ステップで取得した警報情報を、発生時刻に対応する常時表示領域の数字に関連付けて表示させる警報表示ステップと、常時表示領域先頭の時刻を表す数字が現在時刻になるよう表示更新する表示更新ステップとを備えるようにしたものである。
【０００９】
この発明に係る施設管理方法は、表示ステップでは、常時表示領域として、時刻を表す数字を含む各所定領域を帯状に所定期間分表示させ、警報表示ステップでは、常時表示領域のうち、少なくとも１件以上の警報情報が発生した時刻を表す数字を含む所定領域の表示色を変更するようにしたものである。
【発明の効果】
【００１０】
この発明によれば、表示画面内に、時刻を表す数字を帯状に所定期間分表示する常時表示領域を表示させ、取得した警報情報を、発生時刻に対応する常時表示領域の数字と関連付けて表示させるようにしたので、警報の発生状況を時系列かつグラフィカルに簡易的に表現することができ、この結果、前回確認以降の警報発生状況を一目で把握することが可能となる。
【００１１】
この発明によれば、常時表示領域として、時刻を表す数字を含む各所定領域を帯状に所定期間分表示させ、この常時表示領域のうち、少なくとも１件以上の警報情報が発生した時刻を表す数字を含む所定領域の表示色を変更するようにしたので、警報状態の推移を効率よく把握することが可能となり、より的確な設備監視及び制御を行うことができる。
【図面の簡単な説明】
【００１２】
【図１】この発明の実施の形態１に係る施設管理装置の構成を示すブロック図である。
【図２】実施の形態１に係る施設管理装置の画面表示の一例を示す説明図である。
【図３】実施の形態１に係る施設管理装置の動作を示すフローチャートである。
【図４】実施の形態１に係る施設管理装置の画面表示の一例を示す説明図である。
【発明を実施するための形態】
【００１３】
実施の形態１．
図１は、この発明の実施の形態１に係る施設管理装置の構成を示すブロック図である。図１に示す施設管理装置は、施設設備で発生した警報情報を取得する警報情報取得手段１と、取得した警報情報を常時表示領域に表示させる警報表示手段２と、表示画面内に常時表示領域を表示させると共に常時表示領域を現在時刻に合わせて更新する表示更新手段３と、取得した警報情報を記録しておく警報情報記憶手段４とを備える。
【００１４】
図１では図示を省略するが、施設内に設置された設備コントローラと警報情報取得手段１とは通信回線等によって接続されており、警報情報取得手段１はその通信回線等を介して設備コントローラから発せされる警報情報を取得する。警報情報記憶手段４は記憶装置等から構成され、警報情報取得手段１が取得した警報情報を、発生時刻、発生内容、単位、復旧時刻を含んだ警報履歴情報として記録しておく。なお、単位は、警報の内容が例えば「温度の上限警報」といったときの、この温度の単位「℃」である。「液面の下限警報」の場合は、流量の単位「ｍ３」等となる。
【００１５】
図２は、実施の形態１に係る施設管理装置の画面表示の一例を示す説明図である。表示更新手段３は、施設管理装置の監視画面１０の上部に、常に、常時表示領域１１を表示させる。この常時表示領域１１は、１時間を１メモリとして、左端の現在時刻から２４メモリ、即ち過去１日分の時刻を表す数字が帯状に表示されてなる。図２では、現在時刻が１７時１０分の場合を示し、常時表示領域１１の左端先頭には現在時刻１７時のメモリが表示されている。
また、表示更新手段３は、正時になると帯状のメモリの表示位置を更新して、左端先頭に現在時刻のメモリが表示されるようにする。図２の例では、時間が経過して現在時刻が１８時になると、常時表示領域１１の左端先頭には現在時刻１８時のメモリが表示され、１７時以前の各メモリは一つずつ右へシフトして表示される。
【００１６】
警報表示手段２は、常時表示領域１１の各メモリのうち、少なくとも１件以上の警報情報が発生した時刻のメモリの表示色を変更して（例えば赤く塗りつぶして）、警報が発生したことを通知する。また、警報表示手段２は、オペレータの確認操作があると、赤く塗りつぶしたメモリを元の表示色に戻す。ただし、未確認の他の警報情報があるときは、警報表示手段２は塗りつぶした状態をそのまま継続させる。
【００１７】
次に、施設管理装置の動作を説明する。図３は、実施の形態１に係る施設管理装置の動作を示すフローチャートである。
現在時刻が１７時過ぎとすると、常時表示領域１１は図２に示す状態である。この表示状態でオペレータが退社し、その後、ステップＳＴ１において警報が発生すると（ステップＳＴ１“ＹＥＳ”）、警報情報取得手段１が警報情報を取得して警報情報記憶手段４へ記録させると共に（警報情報取得ステップ）、警報表示手段２が常時表示領域１１のうち、警報発生時刻に相当する時刻のメモリを赤く塗りつぶす（ステップＳＴ２、警報表示ステップ）。常時表示領域１１のメモリ表示色変更により警報発生が通知されても、オペレータは退社して不在のため確認操作はされず（ステップＳＴ３“ＮＯ”）、正時になっていれば（ステップＳＴ５“ＹＥＳ”）、表示更新手段３が常時表示領域１１の各メモリを表示更新して（ステップＳＴ６、表示更新ステップ）、施設管理装置は再び警報が発生するまで待機する。ただし、ステップＳＴ５，ＳＴ６の表示更新処理は、ステップＳＴ１〜ＳＴ４の警報表示処理とは独立に実施してもよい。
【００１８】
オペレータが翌朝８時に出社した場合、常時表示領域１１は図４に示すように、８時から過去２４時間分の警報発生有無を表示している。図４の例では２３時、０時及び２時の各メモリが赤く塗りつぶされた状態（図４では黒く塗りつぶされた状態）となっており、オペレータが不在だった前日１８時から翌朝８時までの間の２３時、０時及び２時に警報が発生したことを示している。このように、オペレータが退社して翌朝出社するまでの時間帯で警報が発生した場合は、発生時刻のメモリが赤く塗りつぶされ、警報が発生していたことが一目で視認できる。
一方、常時表示領域１１上に、赤く塗りつぶされたメモリがない場合は、警報が発生していないことが一目で視認できる。
【００１９】
図４の常時表示領域１１について、出社したオペレータが２３時、０時及び２時に発生した警報情報を確認する操作を行うと、その確認操作を施設管理装置が受け付けて（ステップＳＴ３“ＹＥＳ”）、警報表示手段２が該当する時刻のメモリの塗りつぶしを解除して元の表示色に戻す（ステップＳＴ４）。なお、１時間のうちに複数の警報情報が発生していた場合には、警報表示手段２は、それら全ての警報情報を確認する操作がなされた場合にその時刻のメモリの塗りつぶしを解除し、未確認の警報情報が残っている場合には塗りつぶしを解除しない。
【００２０】
以上より、実施の形態１によれば、施設管理装置の表示画面内に、時刻を表す数字を帯状に所定期間分表示する常時表示領域１１を表示させ、かつ、この常時表示領域１１先頭の時刻を表す数字が現在時刻になるよう表示更新する表示更新手段３と、設備で発生した警報情報を取得する警報情報取得手段１と、警報情報取得手段１が取得した警報情報を、発生時刻に対応する常時表示領域１１の時刻を表す数字に関連付けて表示させる警報表示手段２とを備えるように構成した。このため、常時表示領域１１として、警報発生を時系列にグラフィカルに表現することができ、直近の警報が現在時刻よりどの程度前なのかをオペレータが一目で見て直感することができる。また、前回確認以降の警報発生状況を一目で把握することができる。この結果、オペレータが不在の時間帯に、設備点検等の何らかのアクションにより発生した警報の状況推移を把握することができ、傾向分析を行う際の一助となる。
【００２１】
また、常時表示領域１１に、時刻を表す数字を含む所定領域を１時間１メモリとして帯状に表示しておき、警報表示手段２が、少なくとも１件以上の警報情報が発生した時刻のメモリの表示色を変更するように構成した。このため、警報状態の推移を効率よく把握することが可能となり、より的確な設備監視及び制御を行うことができる。
【００２２】
なお、上記実施の形態１では、常時表示領域１１が監視画面１０の上に表示されている例を示したが、これに限定されるものではなく、画面上の任意の位置に表示するようにしてもよい。また、常時表示領域１１として、時刻を表す数字が横一列に帯状に表示されている例を示したが、時刻を表す数字が横方向でも縦方向でも帯状に時系列に配置されていればよい。また、常時表示領域１１の左端に現在時刻が配置されている例を示したが、逆に、右端に現在時刻が配置されるようにしてもよい。
【符号の説明】
【００２３】
１  警報情報取得手段
２  警報表示手段
３  表示更新手段
４  警報情報記憶手段
１０  監視画面
１１  常時表示領域
【図１】
2011003006.tif 000003
【図２】
2011003006.tif 000004
【図３】
2011003006.tif 000005
【図４】
2011003006.tif 000006